(57)【特許請求の範囲】
【請求項１】
主制御手段が、メモリ手段から読み出した、表示データと、該表示データに対する処理を指示するための付加データとを組み合わせて構成した情報パッケージデータを用い、前記付加データに応じて所定の表示動作を行って、表示手段において前記表示データを表示するように構成されている携帯電話装置であって、
前記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなることを特徴とする携帯電話装置。
【請求項２】
前記付随データが、該付随データの数量分の、前記表示データの画面上の表示位置情報と、表示データの表示期間を示す表示タイミング情報と、表示データの内容を示す表示情報とからなることを特徴とする請求項１記載の携帯電話装置。
【請求項３】
前記情報パッケージデータを、前記動作コマンドごとに登録するための固定メモリ又は書き替え可能なメモリからなるメモリ手段を有し、前記主制御手段が、前記コマンド番号に応じて対応する情報パッケージデータを読み出して使用可能なように構成されていることを特徴とする請求項１又は２記載の携帯電話装置。
【請求項４】
前記情報パッケージデータを、無線信号を介して受信して使用可能なように構成されていることを特徴とする請求項１乃至３のいずれか１に記載の携帯電話装置。
【請求項５】
前記情報パッケージデータを、外部データ入出力手段を経由して受信して使用可能なように構成されていることを特徴とする請求項１乃至３のいずれか１に記載の携帯電話装置。
【請求項６】
前記外部データ入出力手段が、赤外線データ受信機能からなることを特徴とする請求項５記載の携帯電話装置。
【請求項７】
動作処理ソフトウェアに基づいて装置全体の動作を制御するとともに、受信データから動作コマンドを検出し、該検出された動作コマンドに対応する情報パッケージデータをメモリ手段から読み出して、該読み出された情報パッケージデータの内容に応じて装置動作を制御し、マンマシンインタフェース制御手段を介して表示手段に対する表示制御を行う主制御手段と、各種動作コマンドごとに対応する情報パッケージデータを記憶するメモリ手段とを備えた携帯電話装置であって、
前記情報パッケージデータが、表示データと該表示データに対する処理を指示するための付加データとの組み合わせからなり、前記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなり、前記付随データが、表示データの画面上の表示位置を示す表示位置情報と、表示データの表示期間を示す表示タイミング情報と、表示データの内容を示す表示情報とからなることを特徴とする携帯電話装置。
【請求項８】
表示データと該表示データに対する処理を指示するための付加データとを組み合わせて構成した情報パッケージデータを用い、前記付加データに応じて所定の表示動作を行って、前記表示データを表示する携帯電話装置の表示動作方法において、
前記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなることを特徴とする携帯電話装置の表示動作方法。
【請求項９】
請求項８記載の携帯電話装置の表示動作方法を実行するプログラムを記録したコンピュータ読み取り可能な記録媒体であって、表示データと該表示データに対する処理を指示するための付加データとを組み合わせて構成した情報パッケージデータを用い、前記付加データに応じて所定の表示動作を行って、前記表示データを表示するプログラムを記録したことを特徴とする携帯電話装置の表示動作プログラムを記録した記憶媒体。
【発明の詳細な説明】
【０００１】
【発明の属する技術分野】
この発明は、画像データ表示機能を有する携帯電話装置及び携帯電話装置の表示動作方法並びに携帯電話装置の表示動作プログラムを記録した記憶媒体に関する。
【０００２】
【従来の技術】
画像データ表示機能を持つ携帯電話装置は、すでに知られている（例えば、特開平９−６５０８号公報，特開平１０−３０４４２９号公報等参照）。
従来の携帯電話装置における画像表示機能では、使用される表示データは、表示画像ごとに、それぞれ単独の画像情報で構成されていて、このデータだけでは、どのような処理を行って表示するのか、判断できなかった。そのため、動作処理を行うソフトウェアには、予め動作内容が定められていて、その動作に合わせた画像情報データを、メモリからその登録位置を指定して読み出すことによって、所定の内容によって表示処理する方法がとられていた。
また、携帯電話装置の表示器上において、画像データを表示する位置も、画像データごとに一定の位置になるように、動作処理ソフトウェアによって、予め定めて処理されていた。
そのため、従来の装置では、画像データを表示するために必要な表示エリアの全体に、１画面のデータを持ち、動きのある画像を表示する場合には、対象画像が画面の一部に表示されている場合でも、１画面分のデータ量を持つデータを、必要枚数だけ用意する必要があった。
【０００３】
【発明が解決しようとする課題】
このように、従来の携帯電話装置の画像データ表示機能における、動作処理を行うソフトウェアでは、動作内容が予め機種毎に固定的に定められているため融通性が少なく、各機種間で、画像データの共用化を図ることができないという問題があった。
また、動きのある画像を表示する場合でも、対象画面ごとに、１画面分のデータ量を必要としたため、メモリ量を多く必要とするという問題があった。
さらに、これに加えて、従来装置では、１画面を表示する時間や、繰り返し回数が固定されていたため、外部から表示用データを登録する場合には、この条件に合致した画像処理ソフトウェアが必要となり、自由度が少ないという問題があった。
【０００４】
この発明は、上述の事情に鑑みてなされたものであって、画像データ表示のための動作処理ソフトウェアの融通性が大きく、かつ、画像データの共用化が可能であるとともに、動きのある画像を表示する場合でも、メモリ量を少なくすることができ、さらに、１画面を表示する時間や、表示動作の繰り返し回数等を自由に設定することが可能な、携帯電話装置及び携帯電話の画像データ表示方法並びに画像データ表示プログラムを記録した記憶媒体を提供することを目的としている。
【０００５】
【課題を解決するための手段】
上記課題を解決するため、請求項１記載の発明は携帯電話装置に係り、主制御手段が、メモリ手段から読み出した、表示データと、該表示データに対する処理を指示するための付加データとを組み合わせて構成した情報パッケージデータを用い、主制御手段が上記付加データに応じて所定の表示動作を行って、表示手段において上記表示データを表示するように構成されている携帯電話装置であって、上記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなることを特徴としている。
【０００６】
また、請求項２記載の発明は、請求項１記載の携帯電話装置に係り、上記付随データが、該付随データの数量分の、上記表示データの画面上の表示位置情報と、表示データの表示期間を示す表示タイミング情報と、表示データの内容を示す表示情報とからなることを特徴としている。
【０００７】
また、請求項３記載の発明は、請求項１又は２記載の携帯電話装置に係り、上記情報パッケージデータを、上記動作コマンドごとに登録するための固定メモリ又は書き替え可能なメモリからなるメモリ手段を有し、上記主制御手段が、上記コマンド番号に応じて対応する情報パッケージデータを読み出して使用可能なように構成されていることを特徴としている。
【０００８】
また、請求項４記載の発明は、請求項１乃至３のいずれか１に記載の携帯電話装置に係り、上記情報パッケージデータを、無線信号を介して受信して使用可能なように構成されていることを特徴としている。
【０００９】
また、請求項５記載の発明は、請求項１乃至３のいずれか１に記載の携帯電話装置に係り、上記情報パッケージデータを、外部データ入出力手段を経由して受信して使用可能なように構成されていることを特徴としている。
【００１０】
また、請求項６記載の発明は、請求項５記載の携帯電話装置に係り、上記外部データ入出力手段が、赤外線データ受信機能からなることを特徴としている。
【００１１】
また、請求項７記載の発明は携帯電話装置に係り、動作処理ソフトウェアに基づいて装置全体の動作を制御するとともに、受信データから動作コマンドを検出し、該検出された動作コマンドに対応する情報パッケージデータをメモリ手段から読み出して、該読み出された情報パッケージデータの内容に応じて装置動作を制御し、マンマシンインタフェース制御手段を介して表示手段に対する表示制御を行う主制御手段と、各種動作コマンドごとに対応する情報パッケージデータを記憶するメモリ手段とを備えた携帯電話装置であって、上記情報パッケージデータが、表示データと該表示データに対する処理を指示するための付加データとの組み合わせからなり、上記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなり、上記付随データが、表示データの画面上の表示位置を示す表示位置情報と、表示データの表示期間を示す表示タイミング情報と、表示データの内容を示す表示情報とからなることを特徴としている。
【００１２】
また、請求項８記載の発明は携帯電話装置の表示動作方法に係り、表示データと該表示データに対する処理を指示するための付加データとを組み合わせて構成した情報パッケージデータを用い、上記付加データに応じて所定の表示動作を行って、上記表示データを表示する携帯電話装置の表示動作方法において、上記付加データが、コマンド番号によって動作処理を指定する動作コマンド情報と、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなることを特徴としている。
【００１３】
また、請求項９記載の発明は携帯電話装置の表示動作方法プログラムを記録した記憶媒体に係り、請求項８記載の携帯電話装置の表示動作方法を実行するプログラムを記録したコンピュータ読み取り可能な記録媒体であって、表示データと該表示データに対する処理を指示するための付加データとを組み合わせて構成した情報パッケージデータを用い、上記付加データに応じて所定の表示動作を行って、上記表示データを表示するプログラムを記録したことを特徴としている。
【００１４】
【作用】
この発明の構成では、表示データと該表示データに対する処理を指示するための付加データとを組み合わせて構成した情報パッケージデータを用い、主制御手段が、上記付加データに応じて所定の表示動作を行って、表示手段において、上記表示データを表示するように構成されているので、携帯電話装置において、情報パッケージデータを指定するコマンド番号を指示するだけで、関連する一連の処理を行うことができるようになり、制御が簡単になるとともに、動作ソフトウェアの共通化を図ることが可能になる。
【００１５】
また上記付加データが、コマンド番号によって動作処理を指定する動作コマンドと、音声による表示方法を指定する音声指定情報と、当該情報パッケージデータによる処理の繰り返し回数を指定する繰り返し回数情報と、表示データの表示処理方法を指示する付随データの数量を指定する付随データ数量情報とからなる一定の組み合わせでパッケージ化されているので、メモリ手段に格納する際の融通性が大きく、ＲＯＭに固定的に蓄積したり、ＲＡＭに任意に登録したり書き替えたりすることができるだけでなく、無線信号に含まれる情報や、外部データ入出力手段から取り込んだ情報を、表示データとして利用することも容易になる。
【００１６】
さらに上記付随データが、該付随データの数量分の、上記表示データの画面上の表示位置情報と、表示データの表示期間を示す表示タイミング情報と、表示データの内容を示す表示情報とからなっているので、部分的な画像を表示位置を指定して表示することができ、全画面を表示のために使用する必要がないため、使用メモリ量を節約することができるとともに、１画面を表示する時間や、表示の繰り返し処理回数を任意に指定できるので、表示する画像の融通性が増し、表現も自由になって、より効果的な画面表示が可能になる。
【００１７】
【発明の実施の形態】
以下、図面を参照して、この発明の実施の形態について説明する。説明は、実施例を用いて具体的に行う。
図１は、この発明の一実施例である携帯電話装置の構成を示すブロック図、図２は、本実施例の携帯電話装置における、付加データ付き画像データに対する情報パッケージデータにおける動作コマンドの設定例を示す図、図３は、情報パッケージデータの具体的データ構成例の第１ブロックを示す図、図４，図５は、情報パッケージデータの具体的データ構成例の第２ブロックを示す図、図６，図７は、情報パッケージデータの具体的データ構成例の第３ブロックを示す図、図８，図９は、メール受信時の主要動作を示すフローチャート、図１０は、メール受信動作時の具体的表示を例示する図である。
【００１８】
この例の携帯電話装置は、図１に示すように、アンテナ１と、無線部２と、信号変復調部３と、主制御部４と、マンマシンインタフェース（ＭＭＩ）制御部５と、メモリ部６と、表示部７と、スピーカ８と、バイブレータ９と、マイク１０と、キーボード１１と、外部データ入出力制御部１２と、電源制御部１３とから概略構成されている。
アンテナ１は、無線信号の送受信を行う。無線部２は、送信すべき無線信号を生成するとともに、無線信号を受信して自局あての信号を抽出する処理を行う。信号変復調部３は、送信信号の変調と、受信信号の復調の処理を行う。主制御部４は、ＣＰＵ（Ｃｅｎｔｒａｌ  Ｐｒｏｃｅｓｓｉｎｇ  Ｕｎｉｔ  ）を備えて、ＣＰＵ動作プログラムに基づいて携帯電話装置の主要動作を管理する。ＭＭＩ制御部５は、入力された音声や制御情報を、信号変復調部３と主制御部４に伝達し、信号変復調部３と主制御部４からの音声や制御情報を外部に出力する処理を行う。メモリ部６は、ＣＰＵの動作用プログラムと、情報パッケージデータ及び各種制御データを格納する。表示部７は、携帯電話装置の表示情報を視覚的に表示する。スピーカ８は、音声信号及びアラーム信号等を音響的に表示する。バイブレータ９は、振動による着信表示を行う。マイク１０は、ユーザの音声信号を入力する。キーボード１１は、ユーザの制御データを入力する。外部データ入出力制御部１２は、外部データ端末へ接続して、データの入出力を行う。電源制御部１３は、装置全体の電源を供給するとともに、電源の動作管理を行う。
【００１９】
以下、図１を参照して、この例の携帯電話装置の、主として受信時における動作を説明する。
アンテナ１は、外部の装置からの無線信号を受信し、無線部２は、アンテナ１から入力した無線信号から自局あての受信信号を抽出して信号変復調部３に出力する。信号変復調部３では、無線部２からの受信信号を復調してディジタルデータを生成して、主制御部４へ送出する。主制御部４は、ＣＰＵを備えて、ＣＰＵ動作プログラムに基づいて携帯電話装置の主要動作を管理するとともに、その動作中において、信号変復調部３において復調されたディジタルデータをモニタして、データの内容に応じた動作処理を行うとともに、自局に対する呼び出し情報によって着信を検出したとき、連続受信動作に移行する処理を行い、これによって無線部２で受信された信号は、自局に対する信号が終了するまで信号変復調部３に送られて、受信動作が継続される。さらに、主制御部４は、復調された受信データ中に、動作コマンドのデータを検出したときは、そのコマンド番号に応じた情報パッケージデータをメモリ部６から読み出して、その内容に応じてＭＭＩ制御部５に指示して、所要の受信動作を行わせる。なお、マイク１０は、送信時における音声信号の入力に用いられる。
ＭＭＩ制御部５は、主制御部４からの指示に基づいて、表示部７において、各種の画面表示を行わせ、スピーカ８において、各種の音声出力を行わせ、バイブレータ９において、振動による着信表示を行わせる。また、ＭＭＩ制御部５は、ユーザがキーボード１１から入力したデータの管理を行い、その内容を主制御部４に伝達する。主制御部４は、この情報に基づいて、他の各種機能の処理も実行する。外部データ入出力制御部１２は、主制御部４の指示によって、データを外部データ端末に出力するとともに、外部データ端末からデータの入力を行って、主制御部４に伝達する。電源制御部１３は、携帯電話装置全体の電源を供給するとともに、主制御部４の指示によって、電源の動作管理も行う。
【００２０】
この例における付加データ付き画像データに対する情報パッケージデータの基本構成は、図２に例示されるように、複数の動作コマンドからなっている。
情報パッケージデータは、携帯電話装置のメモリ部６のＲＯＭに固定的に登録されていたり、又はＲＡＭに一時的に登録されたり、あるいは無線信号によって情報データとして送られてきてバッファメモリに一時的に記憶される。携帯電話装置は、必要に応じてこれらの手段によって、情報パッケージデータを得て、その内容に応じた動作処理を行う。
この場合の各コマンドは、図２に示されるように、コマンド番号（ＮＯ）  ”ＣＭＤ０”  〜  ”ＣＭＤ１０”  に対応して、それぞれ図示のうように、タイトルとして、「電源ＯＮ」，「発呼」，「着呼」，「電源ＯＦＦ」，「メール発信」，「メール受信」，「低電圧アラーム」，「目覚ましアラーム」，「タイムリマインダ」，「結婚記念日」，「誕生日」を有し、動作内容として、「電源を入れる。」，「電話を掛ける。」，「電話を受ける」，「電源を切る。」，「メールの発信処理を行う。」，「メールの受信処理を行う。」，「電池の量が低下。アラームを出す。」，「目覚まし設定時間に到達。アラームを出す。」，「登録したスケジュールの時間が近くなった。アラームを出す。」，「結婚記念日に関連した動作をする。」，「誕生日に関連した動作をする。」を有している。
【００２１】
この例における情報パッケージデータの具体的データ構成例の第１ブロックは、図３に示すように、付随データが１式であって、表示データが文字情報のみの場合を例示している。
この場合のデータ構成は、データ  ”Ｃ”  ，  ”Ｓ”  ，  ”Ｒ”  ，  ”Ｎ”  ，  ”Ｌ１”  ，  ”Ｔ１”  ，  ”Ｄ１”  に対応して、それぞれ図示のように、タイトルとして、「動作コマンド」，「音声指定」，「繰り返し回数」，「付随データの数量」，「表示位置」，「表示タイミング」，「表示情報」を有し、内容として、「ＣＭＤ１（発呼動作処理を指示）」，「ｓ＝１（発信音を指定）」，「ｒ＝１（処理を１回のみ実行）」，「ｎ＝１（データは１式）」，「ｘ＝０，ｙ＝０（表示部の最初位置にて指定）」，「ｔ＝０（無制限で処理が終わるまで継続）」，「１＝  ”発信中です。＜ｃｒ＞（改行）相手が出るまで少しお待ち下さい。”  （文字表示データ）」を有している。
【００２２】
この例における情報パッケージデータの具体的データ構成例の第２ブロックは、図４，図５に示すように、付随データが６式であって、表示データが文字情報と画像情報とが混在する場合を例示している。
この場合のデータ構成は、データ  ”Ｃ”  ，  ”Ｓ”  ，  ”Ｒ”  ，  ”Ｎ”  に対応して、それぞれ図示のように、タイトルとして、「動作コマンド」，「音声指定」，「繰り返し回数」，「付随データの数量」を有し、内容として、「ＣＭＤ５（メール受信動作処理を指示）」，「ｓ＝５（メール着信音を指定）」，「ｒ＝１（処理を１回のみ実行）」，「ｎ＝６（データは６式）」を有しているとともに、それぞれデータ  ”Ｌ１，Ｔ１，Ｄ１”  〜  ”Ｌ６，Ｔ６，Ｄ６”  の変化に対応して、タイトル「表示位置」，「表示タイミング」，「表示情報」を繰り返して有し、内容として、表示位置が、「ｘ＝０，ｙ＝０（最初の表示位置にて指定）」，「ｘ＝０，ｙ＝２０（２０ドット分下位置にて指定）」，「ｘ＝２０，ｙ＝２０（２０ドット分下で２０ドット分右寄り位置にて指定）」，「ｘ＝４０，ｙ＝２０（２０ドット分下で４０ドット分右寄り位置にて指定」，「ｘ＝６０，ｙ＝２０（２０ドット分下で６０ドット分右寄り位置にて指定」，「ｘ＝８０，ｙ＝２０（２０ドット分下で８０ドット分右寄り位置にて指定」のように変化し、表示タイミングが、「ｔ＝０（一連の処理が終了するまで表示）」，「ｔ＝０．５（０．５秒間表示）」，「ｔ＝０．５（０．５秒間表示）」，「ｔ＝０．５（０．５秒間表示）」，「ｔ＝０．５（０．５秒間表示）」，「ｔ＝２．０（２秒間表示）」のように変化し、表示情報が１＝  ”メール受信中です。”  （文字表示データ）、及び図示のｇで示される画像表示データからなるものを有している。
【００２３】
この例における情報パッケージデータの具体的データ構成例の第３ブロックは、図６，図７に示すように、付随データが３式であって、表示データが画像情報のみの場合を例示している。
この場合のデータ構成は、データ  ”Ｃ”  ，  ”Ｓ”  ，  ”Ｒ”  ，  ”Ｎ”  に対応して、それぞれ図示のように、タイトルとして、「動作コマンド」，「音声指定」，「繰り返し回数」，「付随データの数量」を有し、内容として、「ＣＭＤ１０（誕生日の動作処理を指示）」，「ｓ＝１０（誕生日の音楽を指定）」，「ｒ＝５（処理を５回繰り返し実行）」，「ｎ＝３（データは３式）」を有しているとともに、それぞれデータ  ”Ｌ１，Ｔ１，Ｄ１”  〜  ”Ｌ３，Ｔ３，Ｄ３”  の変化に対応して、タイトル「表示位置」，「表示タイミング」，「表示情報」を繰り返して有し、内容として、表示位置が、「ｘ＝０，ｙ＝２０（２０ドット分下位置にて指定）」，「ｘ＝２０，ｙ＝２０（２０ドット分下で２０ドット分右寄り位置にて指定）」，「ｘ＝５０，ｙ＝２０（２０ドット分下で５０ドット分右寄り位置にて指定」のように変化し、表示タイミングが、「ｔ＝２（２秒間表示）」，「ｔ＝０．５（０．５秒間表示）」，「ｔ＝０．５（０．５秒間表示）」のように変化し、表示情報が図示のｇで示される画像表示データからなるものを有している。
【００２４】
次に、図１，図２，図４，図５，図８，図９を参照して、この例の携帯電話装置の動作について、メール受信動作を例として詳細に説明する。
アンテナ１から入力された無線（ＲＦ）信号（メール受信データ）は、無線部２において受信されて（図８，ステップＳ１）、信号変復調部３へ送られる。受信信号は、信号変復調部３で復調されてディジタル信号に変換されて、主制御部４に送られる。主制御部４は、送られたディジタル信号が自局あての信号か否かを判定して（図８，ステップＳ２）、自局あての信号であったときは、主制御部４は、信号変復調部３から引き続きデータを受け取り（図８，ステップＳ３）、どの処理を行うかの判定を行って、データ  ”Ｃ”  によってメール文書の受信であるか否かをみて（図８ステップＳ４）、信号がメール受信（図２，ＣＭＤ５）と判断されたときは、メール受信（＝ＣＭＤ５）としての処理動作に移行する（図８，ステップＳ５）。なお、メール受信でないときは、他の処理を行って（図８，ステップＳ６）、ステップＳ１に戻る。
【００２５】
次に、主制御部４は、変復調部３から引き続き送られてくる文書データの受信処理を行う（図８，ステップＳ７）とともに、メモリ部６から付加データ付き画像データエリアのコマンドＣＭＤ５の情報パッケージデータを読み出し（図８，ステップＳ８）、その内容に従って一連の処理を行う。
コマンドＣＭＤ５の情報パッケージデータが、図４，図５に示されている第２ブロックのデータであった場合、データ  ”Ｓ”  ，  ”Ｒ”  ，  ”Ｎ”  の内容として、ｓ＝５，ｒ＝１，ｎ＝６が決定される。まず、主制御部４は、音声指定ｓ＝５に従って、メモリ部６の音声指定メモリエリアからメモリ着信音データを読み出して、ＭＭＩ制御部５へ送り、ＭＭＩ制御部５は、受け取ったメモリ着信音データを音声信号に変換して、スピーカ８からメモリ着信音を発生させる（図８，ステップＳ１０）。また、主制御部４は、繰り返し回数ｒ＝１に従って、引き続くデータの内容を、繰り返すことなく、１回だけ処理する。さらに、主制御部４は、付随データの数量ｎ＝６に従って、６式の表示情報を処理する。
【００２６】
まず、主制御部４はデータ読み出しカウンタ（不図示）のカウント値をｄｎ＝１にセットして（図９，ステップＳ１１）、図４に示された最初の表示情報（Ｌ１＋Ｔ１＋Ｄ１）を読み出し（図９，ステップＳ１２）、読み出したデータの内容（表示位置ｘ＝０，ｙ＝０，表示タイミングｔ＝０，表示情報１＝  ”メール受信中です。”  ）に従って、ＭＭＩ制御部５に対して、表示の指示を行う。ＭＭＩ制御部５は、指示された内容に合わせて、表示部７において表示情報（文字表示データ）の表示を行う（図９，ステップＳ１３）。
次に、主制御部４は、データ読み出しカウンタのカウント値ｄｎをインクリメントして（図９，ステップＳ１４）、次の表示情報（Ｌ２＋Ｔ２＋Ｄ２）を読み出して同様の処理を行うことによって、表示情報（画像表示データ）の表示を行う。さらに同様の処理を繰り返すことによって、合計６回の処理を行う（図９，ステップＳ１５）。
コマンドＣＭＤ５の処理が終了すると、主制御部４は、並行して受信した文書データの処理を行う（図９，ステップＳ１６）。処理内容としては、文書データをＭＭＩ制御部６に送って、表示部７において表示させたり、メモリ部６に送って保存データとして格納させたりする等の処理がある。
【００２７】
次に、図１０を参照して、この例の携帯電話装置におけるメール受信動作時の具体的表示の例を説明する。
図１０において、（ａ）はデータ読み出しカウンタのカウント値ｄｎ＝１の場合を示し、表示情報として、データＤ１を表示するので、画面には、表示位置ｘ＝０，ｙ＝０に文字表示データ「メール受信中です。」が、一連の処理終了時まで表示される。
（ｂ）はデータ読み出しカウンタのカウント値ｄｎ＝２の場合を示し、表示情報として、表示位置ｘ＝０，ｙ＝０に文字表示データ「メール受信中です。」が表示され、表示位置ｘ＝０，ｙ＝２０にデータＤ２に基づいてｇで示される画像表示データが表示される。
（ｃ）はデータ読み出しカウンタのカウント値ｄｎ＝３の場合を示し、表示情報として、表示位置ｘ＝０，ｙ＝０に文字表示データ「メール受信中です。」が表示され、表示位置ｘ＝２０，ｙ＝２０にデータＤ３に基づいてｇで示される画像表示データが表示される。
（ｄ）はデータ読み出しカウンタのカウント値ｄｎ＝４の場合を示し、表示情報として、表示位置ｘ＝０，ｙ＝０に文字表示データ「メール受信中です。」が表示され、表示位置ｘ＝４０，ｙ＝２０にデータＤ４に基づいてｇで示される画像表示データが表示される。
（ｅ）はデータ読み出しカウンタのカウント値ｄｎ＝５の場合を示し、表示情報として、表示位置ｘ＝０，ｙ＝０に文字表示データ「メール受信中です。」が表示され、表示位置ｘ＝６０，ｙ＝２０にデータＤ５に基づいてｇで示される画像表示データが表示される。
（ｆ）はデータ読み出しカウンタのカウント値ｄｎ＝６の場合を示し、表示情報として、表示位置ｘ＝０，ｙ＝０に文字表示データ「メール受信中です。」が表示され、表示位置ｘ＝８０，ｙ＝２０にデータＤ６に基づいてｇで示される画像表示データが表示される。
【００２８】
このようにして、メール受信動作時には、図１０に示すように、「メール受信中です。」の文字表示の下に、自動車を示す画像が現れて、時間の経過に伴って、水平方向に順次、左から右に移動し、最後に郵便が配達される画像が現れて、メールを受信したことが表示されるので、メール受信動作が、視覚を介して直感的に把握できるようになる。
【００２９】
このように、この例の携帯電話装置では、表示データに対して、処理を指示する付加データを組み合わせて、情報パッケージデータを形成するので、各表示データの情報パッケージに対して、どのような処理を行うべきかを、装置が容易に判断できる。従って、携帯電話装置の動作処理ソフトウェアに、このような付加データの定義を組み込んで処理することによって、ランダムに、どのパッケージデータを読み出しても、一連の処理を正しく行うことができるとともに、動作ソフトウェアの共通化を図ることができる。
また、ランダムにこの情報パッケージデータを読み出しても、一連の処理を実行することができるので、事前にメモリの登録場所を決める必要がなく、ある一定の枠内であれば、どのエリアにも登録することができる。従って、情報パッケージデータは、固定的にＲＯＭエリアに登録するだけでなく、書き替え可能なＲＡＭエリアに任意に登録したり、書き替えたりすることが可能になる。また、メモリに登録されたデータを読み出して処理する以外に、無線信号に含まれた情報パッケージデータを使用することや、外部接続機器からなる外部データ入出力部から、データとして取り込んで処理することも可能である。このような外部接続機器としては、例えば、赤外線データ受信機能（ＩＲＤＡ）を用いることも可能である。
さらに、この例の情報パッケージデータでは、文字や画像を、表示に必要な限度の大きさのデータによって、画面上の位置を指定して表示できるので、データごとに全画面を使用して表示を行う必要がなく、メモリ使用量を節約することができる。
また、付加データによって、１画像を表示する時間や、繰り返し処理回数を指定するので、これらの値を任意に設定することができ、従って、外部から取り込む画像データの融通性が増すとともに、表現も自由になり、より効果的な画像表示を行うことが可能になる。
【００３０】
以上、この発明の実施例を図面により詳述してきたが、具体的な構成はこの実施例に限られたものではなく、この発明の要旨を逸脱しない範囲の設計の変更等があってもこの発明に含まれる。すなわち、上述の実施例以外に、付加データを必要最小限に抑えたり、又は、さらに情報を付加して、より多機能で効果的な利用方法を実現したりすることができる。例えば、表示位置や表示時間が一定条件であれば、これらのデータを削除することができる。その結果、付加データを動作コマンドのみとすることによって、データ量を軽減して、ソフトウェアを簡略化することが可能である。また、付加データを追加することによって、画面を反転表示したり、描画速度を指定して、徐々に画像が現れるようにしたり、画像に合わせた効果音（音楽，音声，疑似音等）を指定したり、動作開始時間を指定したりする等の、種々の効果的な処理を追加することができる。
なお、この発明の方法をソフトウェアによって実現する場合には、ハードウェア構成として、中央処理装置（ＣＰＵ）を含む主制御部４と、マンマシンインタフェースをとるＭＭＩ制御部５と、ＲＯＭ，ＲＡＭ等からなるメモリ部６と、表示部７，スピーカ８，バイブレータ９等からなる出力装置と、マイク１０，キーボード１１からなる入力装置とからなる構成に対して、この発明の方法を実現するためのプログラムを装備することによって容易に実現できる。さらにこのようなプログラムを、処理装置が読み取り可能な、任意の形式の媒体に記録した状態で予め用意しておいて、これを読み込むことによって、同様なシステムを具備する場合に、同一の方法を普遍的に実現することができる。このような媒体としては、磁気テープやフロッピィディスクやＣＤ−ＲＯＭ等を使用できる。
【００３１】
【発明の効果】
以上説明したように、この発明によれば、携帯電話装置が扱う表示データを、その処理を指示する付加データと組み合わせて情報パッケージ化したので、情報パッケージデータを指定するコマンド番号を指示するだけで、関連する一連の処理を行うことができるようになり、制御が簡単になるとともに、動作ソフトウェアの共通化を図ることが可能になる。
また、表示処理に必要なデータがパッケージデータ化されているので、メモリに格納する際の融通性が大きく、ＲＯＭに固定的に登録したり、ＲＡＭに任意に登録したり書き替えたりすることができるだけでなく、無線信号に含まれる情報や、外部データ入出力手段から取り込んだ情報を、表示データとして利用することも容易になる。
また、この発明では、部分的な画像を表示位置を指定して表示できるので、全画面を表示のために使用する必要がなく、使用メモリ量を節約することが可能になる。
さらに、１画面を表示する時間や、表示の繰り返し処理回数を任意に指定できるので、表示する画像の融通性が増し、表現も自由になって、より効果的な画面表示を行うことが可能になる。
【図面の簡単な説明】
【図１】この発明の一実施例である携帯電話装置の構成を示すブロック図である。
【図２】本実施例の携帯電話装置における、付加データ付き画像データに対する情報パッケージデータにおける動作コマンドの設定例を示す図である。
【図３】本実施例における情報パッケージデータの具体的データ構成例の第１ブロックを示す図である。
【図４】本実施例における情報パッケージデータの具体的データ構成例の第２ブロックを示す図（その１）である。
【図５】本実施例における情報パッケージデータの具体的データ構成例の第２ブロックを示す図（その２）である。
【図６】本実施例における情報パッケージデータの具体的データ構成例の第３ブロックを示す図（その１）である。
【図７】本実施例における情報パッケージデータの具体的データ構成例の第３ブロックを示す図（その２）である。
【図８】本実施例におけるメール受信時の主要動作を示すフローチャート（その１）である。
【図９】本実施例におけるメール受信時の主要動作を示すフローチャート（その２）である。
【図１０】本実施例におけるメール受信動作時の具体的表示を例示する図である。
【符号の説明】
１      アンテナ
２      無線部
３      信号変復調部
４      主制御部（主制御手段）
５      ＭＭＩ制御部
６      メモリ部（メモリ手段）
７      表示部（表示手段）
８      スピーカ
９      バイブレータ
１０      マイク
１１      キーボード
１２      外部データ入出力制御部（外部データ入出力手段）
１３      電源制御部
【図１】
0003580206.tif 000002
【図２】
0003580206.tif 000003
【図３】
0003580206.tif 000004
【図４】
0003580206.tif 000005
【図５】
0003580206.tif 000006
【図６】
0003580206.tif 000007
【図７】
0003580206.tif 000008
【図８】
0003580206.tif 000009
【図９】
0003580206.tif 000010
【図１０】
0003580206.tif 000011